(57)【特許請求の範囲】
【請求項１】
薄板軽量形鋼製の枠材に面材又はブレースを取付けて耐力壁パネルを構成し、耐力壁パネルの上部に設けた臥梁によって床根太を支持し、壁には開口部が形成されてなる数階建てのスチールハウスにおいて、前記床根太と平行に開口部が形成された壁面に設けられる臥梁をウェブを鉛直に配置した溝形鋼で構成し、該溝形鋼の溝部には上下のフランジの変形を阻止する補強材を適宜間隔で配置したうえ、溝形鋼の前記ウェブ背面に前記床根太の端部に設けた受け金物を当てがい、その当接部に挿通するボルト締結により溝形鋼製臥梁と耐力壁パネルおよび床根太の間をボルト接合し、前記壁面の開口部は前記臥梁の直下まで開口していることを特徴とするスチールハウス製低層建物の枠組構造。
【請求項２】
薄板軽量形鋼製の枠材に面材又はブレースを取付けて耐力壁パネルを構成し、耐力壁パネルの上部に設けた臥梁によって床根太を支持し、壁には開口部が形成されてなる数階建てのスチールハウスにおいて、前記床根太と平行に開口部が形成された壁面に設けられる臥梁をウェブを鉛直に配置したＨ形鋼で構成し、該Ｈ形鋼のウェブの側面に形成される溝部には上下のフランジの変形を阻止する補強材を適宜間隔に配置したうえ、溝形鋼の前記ウェブ背面に前記床根太の端部に設けた受け金物を当てがい、その当接部に挿通するボルト締結により溝形鋼製臥梁と耐力壁パネルおよび床根太の間をボルト接合し、前記壁面の開口部は前記臥梁の直下まで開口していることを特徴とするスチールハウス製低層建物の枠組構造。
【請求項３】
薄板軽量形鋼製の枠材に面材又はブレースを取付けて耐力壁パネルを構成し、耐力壁パネルの上部に設けた臥梁によって床根太を支持し、壁には開口部が形成されてなる数階建てのスチールハウスにおいて、前記床根太と平行に開口部が形成された壁面に設けられる臥梁をウェブを鉛直に配置した薄板軽量溝形鋼の組合わせ材で構成し、該薄板軽量溝形鋼の溝部には上下のフランジの変形を阻止する補強材を適宜間隔で配置したうえ、前記薄板軽量形鋼の組合わせ材からなる臥梁の溝部に、前記床根太の端部に設けた受け金物を配置し、前記溝形鋼製臥梁と耐力壁パネルおよび床根太の間をボルト接合し、前記壁面の開口部は前記臥梁の直下まで開口していることを特徴とするスチールハウス製低層建物の枠組構造。
【請求項４】
請求項１において、床根太と直交して開口部が形成された壁面に設けられる臥梁がウェブを鉛直に配置した溝形鋼からなり、前記溝形鋼の上フランジ上面に床根太の端部を載置し、両部材の当接部をボルト接合したことを特徴とする低層建物の枠組構造。
【請求項５】請求項２において、床根太と直交して開口部が形成された壁面に設けられる臥梁がウェブを鉛直に配置したＨ形鋼からなり、前記Ｈ形鋼の上フランジ上面に床根太の端部を載置し、両部材の当接部をボルト接合したことを特徴とする低層建物の枠組構造。
【請求項６】
請求項３において、床根太と直交して開口部が形成された壁面に設けられる臥梁を構成する薄板軽量形鋼の組合わせ材をウェブが鉛直になるように配置し、前記組合わせ材のそれぞれの上フランジ上面に床根太の端部を当てがい、両部材の当接部をボルト接合したことを特徴とする低層建物の枠組構造。
【発明の詳細な説明】
【０００１】
【発明の属する技術分野】
本発明は、２階、３階建の低層建物で、かつ大きな開口部を有する建物を構成するスチールハウス（板厚１ｍｍ前後の薄板軽量形鋼による枠材と構造用面材による鉄鋼系パネル構造の建物をスチールハウスと定義する）における枠組構造に関する。
【０００２】
【従来の技術】
従来、低層用建物に採用される工法として鉄骨軸組み工法が主流であったが、最近、２、３階の低層建物において、スチールハウス（ＳＨ）工法が普及しつつある。
【０００３】
スチールハウスは前述のとおり、薄板軽量形鋼製の枠材を建物全体の主架構要素とし、必要に応じて部分的に木製枠材や合板製面材を薄板軽量形鋼製の枠材に組合わせて構成される。そして、この薄板軽量形鋼製の枠材は、１ｍｍ前後の板厚の薄鋼板をロールフォーミングにより溝形、リップ付き溝形、ボックス形等に形成し、巾寸法なども所定の仕様に合わせて成形することにより構成される。
【０００４】
図９〜図１２によって、従来のスチールハウス工法による枠組み構造を説明する。下枠材１から複数の立て枠材２が所定の間隔をあけて立ち上がっており、各立て枠材２の上端の間は上枠材３で結合されていて、この下枠材１と立て枠材２と上枠材３で構成される壁枠材に構造用面材６（図１２に示す）またはブレースを取付けて耐力壁パネル７が構成されている。建物には出入り口８ａ、窓８ｂなどの開口部８が形成される。
【０００５】
耐力壁７の上枠材３には、側根太５ａと端根太５ｂが支持されていて、両根太が矩形に組まれている。そして、側根太５ａと平行して長短複数の床根太１０が所定間隔で設けられていて、長尺の床根太１０の両端は前後の端根太５ｂに受け金物１１を介して結合され、短尺の床根太１０の一端は前側又は後側の端根太５ｂに、他端は床梁１２にそれぞれ受け金物１１を介して結合されている。床梁１２の一端は側根太５ａに、他端は長尺の床根太１０に受け金物１１を介して結合されている。床根太１０に合板等の構造用面材１３を敷き詰めて床パネル１４が構成される。図９において、１０ａは床開口部端根太、１０ｂは開口部側根太、１０ｃは根太受け金物、１０ｄはころび止めである。
【０００６】
前記ＳＨ工法の建物おいて、出入り口８ａ、窓８ｂなどの開口部８には立て枠材２が存在しないことから、この開口部８においては、屋根等の上階からの鉛直荷重を支える柱がなく、開口部８の部位は強度的に弱くなる。このため、当該開口部８の上部を補強する必要があり、開口部８の上にまぐさ１５を設ける。
【０００７】
図７に示すように、窓８ｂのまぐさ１５の上下に上枠材３とまぐさ枠材１７が設けられ、まぐさ枠材１７と窓上枠材１８の間に開口部上枠材１９が設けられ、まぐさ１５の両端がまぐさ受け２０にまぐさ受け金物２１を介して取付けられ、まぐさ受け取付け立て枠２２は、耐力壁７の端部の立て枠材２にドリルビス２３で接合されている。２４は窓台、２４ａは窓台受け、２５は開口部下枠材である。
【０００８】
図１１には、図９のＳＨ工法による架構を建物の１階部２７として、その上に２階部２８を載せた建物の開口部８の概要図、図１２は図１１のＡ−Ａ断面図を示し、各図は、まぐさ１５と端根太５ｂと床根太１０との取合い構造を示している。薄板軽量溝形鋼からなる端根太５ｂには、受け金物１１を取付けた床根太１０の端部が接合されている。受け金物１１は、リップ付き薄板軽量溝形鋼を短寸に切断し、溝部を立てにして配置されている。端根太５ｂの下側に配置され、この端根太５ｂにドリルビスを用いて接合されるまぐさ１５は、リップ付き薄板軽量溝形鋼１５ａを向かい合わせ、上下の外側を結合枠材１５ｂで結合して構成されている。
【０００９】
前述のスチールハウス（ＳＨ）工法は、薄板軽量形鋼の枠材をドリルビスを用いて接合して建物の壁枠パネルを構築し、この壁枠に構造用面材６を貼り付けた耐力壁パネルで躯体を構築するものであり、そのメリットとして薄板軽量形鋼は、溶接加工を必要とせず、切断、穴あけ加工も簡単で、部材が軽く、人手で運搬できるため、作業効率も高く、製作コストは安価なことである。壁については、耐力壁パネルは安定した製品精度を確保しやすい、パネルの先作り、したがって工期短縮、パネル精度確保により施工が容易、３０〜４０坪程度の規模の場合建て方２．０日などである。このため、２、３階の低層建物の構造分野では経済的な構造である。
【００１０】
【発明が解決しようとする課題】
他方、薄板軽量形鋼を主な架構要素とするスチールハウスには、次の欠点がある。
【００１１】
出入り口や窓など壁面に形成する開口部において、上階からの鉛直荷重を支持するうえで強度が不足するので、前述のまぐさを開口部の上部に設け、このまぐさを介して、開口部に上方から掛かる鉛直荷重を両側耐力壁パネルの立て枠に流している。しかし、まぐさは、屋根、床等、上階からの鉛直荷重を受け止めるだけの強度確保が必要であり、このため、複数の薄板軽量形鋼の組み合わせ部材を使用することになりまぐさの加工や構成が複雑であり、さらに、まぐさの両端は、開口部の両側に位置する耐力壁パネルの側端部に取付けられるので、前記の構成の複雑さとも関係して、まぐさと周辺部材との取付けが複雑であり、さらに、まぐさの存在により開口部の高さ（図１１にｈで示す）に制約を受けるとういう問題があった。
【００１２】
本発明は前記の問題を解決した低層建物の枠組み構造を提供することを目的とする。
【００１３】
すなわち、本発明は、低層建物において、スチールハウスの利点を生かすと共に、重量鉄骨構造を一部取り入れること（これを混構造と定義する）、または、複数の薄板軽量形鋼を接合してなる枠材構造（これを複合構造と定義する）とすることでＳＨ工法の欠点を補う、つまり、前記構成により開口部におけるまぐさを使用せずに、耐力壁パネルの上部に設ける臥梁を介して耐力壁パネルと屋根パネルおよび床パネル又は屋根パネルを接合することで、開口上部のまぐさを無くし、その結果として、まぐさの加工手間と、開口部高さの制約から解放した枠組み構造を提供するものである。
【００１４】
【課題を解決するための手段】
前記の課題を解決するため、本発明は次のように構成する。
【００１５】
請求項１の発明は、薄板軽量形鋼製の枠材に面材又はブレースを取付けて耐力壁パネルを構成し、耐力壁パネルの上部に設けた臥梁によって床根太を支持し、壁には開口部が形成されてなる数階建てのスチールハウスにおいて、前記床根太と平行に開口部が形成された壁面に設けられる臥梁をウェブを鉛直に配置した溝形鋼で構成し、該溝形鋼の溝部には上下のフランジの変形を阻止する補強材を適宜間隔で配置したうえ、溝形鋼の前記ウェブ背面に前記床根太の端部に設けた受け金物を当てがい、その当接部に挿通するボルト締結により溝形鋼製臥梁と耐力壁パネルおよび床根太の間をボルト接合し、前記壁面の開口部は前記臥梁の直下まで開口していることを特徴とするスチールハウス製低層建物の枠組構造である。
【００１６】
請求項２の発明は、薄板軽量形鋼製の枠材に面材又はブレースを取付けて耐力壁パネルを構成し、耐力壁パネルの上部に設けた臥梁によって床根太を支持し、壁には開口部が形成されてなる数階建てのスチールハウスにおいて、前記床根太と平行に開口部が形成された壁面に設けられる臥梁をウェブを鉛直に配置したＨ形鋼で構成し、該Ｈ形鋼のウェブの側面に形成される溝部には上下のフランジの変形を阻止する補強材を適宜間隔に配置したうえ、溝形鋼の前記ウェブ背面に前記床根太の端部に設けた受け金物を当てがい、その当接部に挿通するボルト締結により溝形鋼製臥梁と耐力壁パネルおよび床根太の間をボルト接合し、前記壁面の開口部は前記臥梁の直下まで開口していることを特徴とするスチールハウス製低層建物の枠組構造である。
【００１７】
請求項３の発明は、薄板軽量形鋼製の枠材に面材又はブレースを取付けて耐力壁パネルを構成し、耐力壁パネルの上部に設けた臥梁によって床根太を支持し、壁には開口部が形成されてなる数階建てのスチールハウスにおいて、前記床根太と平行に開口部が形成された壁面に設けられる臥梁をウェブを鉛直に配置した薄板軽量溝形鋼の組合わせ材で構成し、該薄板軽量溝形鋼の溝部には上下のフランジの変形を阻止する補強材を適宜間隔で配置したうえ、前記薄板軽量形鋼の組合わせ材からなる臥梁の溝部に、前記床根太の端部に設けた受け金物を配置し、前記溝形鋼製臥梁と耐力壁パネルおよび床根太の間をボルト接合し、前記壁面の開口部は前記臥梁の直下まで開口していることを特徴とするスチールハウス製低層建物の枠組構造である。
【００１８】
請求項４の発明は、請求項１記載の発明において、前記床根太と直交して開口部が形成された壁面に設けられる臥梁がウェブを鉛直に配置した溝形鋼からなり、前記溝形鋼の上フランジ上面に床根太の端部を載置し、両部材の当接部をボルト接合したことを特徴とする。
【００１９】
請求項５の発明は、請求項２に記載の発明おいて、床根太と直交して開口部が形成された壁面に設けられる臥梁がウェブを鉛直に配置したＨ形鋼からなり、前記Ｈ形鋼の上フランジ上面に床根太の端部を載置し、両部材の当接部をボルト接合したことを特徴とする。
【００２０】
請求項６の発明は、請求項３に記載の発明おいて、床根太と直交して開口部が形成された壁面に設けられる臥梁を構成する薄板軽量形鋼の組合わせ材をウェブが鉛直になるように配置し、前記組合わせ材のそれぞれの上フランジ上面に床根太の端部を当てがい、両部材の当接部をボルト接合したことを特徴とする。
【００２１】
【作用】
本発明により、耐力壁パネルの上部の臥梁をＨ形鋼、溝形鋼等の重量鉄骨または、薄板軽量溝形鋼の組み合わせ材で構成することで、まぐさ部材を省略することが可能となり、低層の建物において、薄板軽量形鋼製の枠材を主要素とするスチールハウス工法の利点、すなわち溶接加工が不要、切断、穴あけ加工も簡単で、部材が軽く、人手で運搬できて作業効率も高く、また、耐力壁パネル及び屋根、床パネル等の工場生産による効率化、安定したパネル精度確保、現場施工の簡略化、容易化、工期短縮、製作コストが安価などの利点を生かしつつ、まぐさ部材の省略による開口部の高さ及び巾等への適応範囲拡大を図ることが可能となる。
【００２２】
【発明の実施の形態】
以下、本発明の実施形態を図を参照して説明する。従来例と同一の要素には、同一符号を付して説明する。
【００２３】
図１は、本発明の実施形態の第１例に係る２階建て建物の概要斜視図で、図５、図６、図７には、第２例、第３例、第４例に係る建物の概要斜視図が示されている。
【００２４】
図１、図５〜図７の各建物において、耐力壁パネル７によって1階２７と２階２８の壁が構成されていて、１階の耐力壁パネル７の上端に沿って配置された側根太５ａおよび端根太５ｂ（両根太を総称して臥梁５という）によって２階２８の耐力壁パネル７が支持されていると共に、臥梁５によって床根太１０が支持されていて、床根太１０に構造用面材（合板）１３を貼り付けて床パネル１４が構成されている。また、図１、図５では、床根太１０と直交した壁面に開口部８が設けられており、図６では床根太１０と平行した壁面に開口部８が設けられている。さらに、図５は、上階に開口部８がない例を、図１、図６は、上階に開口部８がある例を示している。
【００２５】
図７は、耐力壁パネル７の配置例として示す建物の斜視図であり、この耐力壁パネル７は、図８のように構成されている。図８（Ａ）の例では、耐力壁パネル７は、薄板軽量形鋼製の下枠材１と薄板軽量形鋼製の立て枠材２と、薄板軽量形鋼製の上枠材３とで壁枠材が組まれ、これに構造用面材６を貼り付けてドリルビス１９で接合して構成される。図６（Ｂ）の耐力壁パネル７例では、前記下枠材１と立て枠材２と上枠材３を組み付けてなる壁枠材にブレース３０をドリルビス１９や溶接で接合して構成される。本実施形態では、図６（Ａ）、（Ｂ）何れの耐力壁パネル７を用いてもよい。なお、薄板軽量形鋼製の壁枠材に代えて木製枠材と面材（合板）で耐力壁パネル７を構成してもよい。
【００２６】
本発明は前述のＳＨ工法による２、３階の建物において、臥梁５を特殊構造とすることで、開口部８における従来のまぐさを省略することを主目的とするが、この場合、耐力壁パネル７と、臥梁５と、床根太１０との３部材の接合構造が主要構成の一部をなす。図２〜図４には耐力壁パネル７と、臥梁５と、床根太１０との３部材を接合する場合の第１例〜第６例を示している。この６例において、臥梁５を構造面から３例に分けることができ、前記３部材の組み合わせ面から２種類に分けることができ、図にはこれらの合計６例を示している。
【００２７】
図２には、耐力壁パネル７と、臥梁（周辺梁ともいう）５と、床根太１０の３部材の接合の第１例を示し、図３（Ａ）、（Ｂ）には第２例と第３例を示し、図４（Ａ）、（Ｂ）、（Ｃ）には第４例と第５例と第６例を示す。第３例（図３Ｂ）には、開口部８が床根太１０と平行な壁面に配置される場合など、当該壁面に形成される開口部８に掛かる鉛直力、水平力が比較的小さい場合の接合例を示す。第１例、第２例及び第４例〜第６例は、開口部８が床根太１０と直交する壁面に配置される場合など、当該壁面に形成される開口部８に掛かる鉛直力、水平力が比較的大きい場合の接合例を示す。
【００２８】
図２〜図４によって、第１例〜第６例に共通の構成要素を概要的に説明する。
【００３３】
臥梁５は、図２と図４（Ａ）では溝形鋼で構成され、図３（Ａ）と図４（Ｂ）ではＨ形鋼で構成され、図３（Ｂ）と図４（Ｃ）では２つの薄板軽量溝形鋼を背中合わせに接合した組合わせ材で構成されている。また、床根太１０と平行して開口部８が設けられた壁面に設けられる臥梁５にあっては、図２と図３（Ａ）、（Ｂ）に示すように、当該臥梁５の側面に床根太１０がボルト接合される。また、床根太１０と直交して開口部８が設けられた壁面に設けられる臥梁５にあっては、図４（Ａ）、（Ｂ）、（Ｃ）に示すように、当該臥梁５の上面に床根太１０が載置されボルト接合される。
【００２９】
図２〜図４の詳細構造を順に説明する。
【００３０】
図２に示す第１例において、ウエブ３１を垂直配置でかつ溝部を外向きにして配置した溝形鋼からなる臥梁５の下フランジ３２を、耐力壁パネル７の薄板軽量溝形鋼製の上枠材３のウェブ上面に当てがい、ウェブ下面に押え板３３を配置し、この当接部の各部材を挿通して接合ボルト３４を設け、ナット３５を締結することで、耐力壁パネル７と臥梁５を接合する。
【００３１】
溝形鋼製の臥梁５のウエブ背面には、床根太１０の端部に設けた受け金物１１を当てがう。この受け金物１１は、リップ付き薄板軽量溝形鋼を短寸に切断し立て置きで床根太１０の端部に接合されていて、その一側フランジを臥梁５のウエブ背面に当てがい、押え板３３を介して、この当接部に接合ボルト３４を挿通し、ナット３５を締結することで、床根太１０と臥梁５を接合する。溝形鋼製臥梁５の溝部には、補強材３７が設けられている。
【００３２】
床パネル１４は、既述のとおり床根太１０に構造用面材１３を貼り付けて構成されている。臥梁５の上フランジ３６には、上階の耐力壁パネル７の薄板軽量形鋼製の下枠材１が載置され、ボルト接合される。
【００３３】
次に、図３（Ａ）の第２例では、耐力壁パネル７の上端に、ウエブ３１を垂直配置したＨ形鋼からなる臥梁５の下フランジ３２を、耐力壁パネル７の薄板軽量溝形鋼製の上枠材３のウェブ上面に当てがい、ウェブ下面に押え板３３を配置し、この当接部の各部材を挿通して接合ボルト３４を設け、ナット３５を締結することで、耐力壁パネル７と臥梁５を接合する。Ｈ形鋼製の臥梁５のウエブ背面には、床根太１０の端部に設けた受け金物１１を当てがう。その他の構成は、図２の第１例と同じである。
【００３４】
次に、図３（Ｂ）の第３例では、ウエブ３８を背中合わせに接合してなる２つの薄板軽量溝形鋼の組合わせ材で臥梁５を構成し、ウェブ３８を垂直配置した臥梁５の下フランジ３９を、耐力壁パネル７の薄板軽量溝形鋼製の上枠材３のウェブ上面に当てがい、当接部の各部材をボルトやドリルビスを用いて接合し、耐力壁パネル７と臥梁５を接合する。薄板軽量溝形鋼の組合わせ材からなる臥梁５の溝部には、補強材４０が設けられている。その他の構成は、図２の第１例と同じである。
【００３５】
第１例〜第３例において、開口部８（図１に示す）が形成された壁面において、耐力壁パネル７の上には、前記溝形鋼やＨ形鋼等の鉄骨製又は、薄板軽量溝形鋼の組合わせ材からなる剛性の高い臥梁５が設けられるので、この臥梁５に従来のまぐさ機能を兼用させても何ら問題なく、したがって、従来のスチールハウス工法における開口部のまぐさを省略しても、上階の鉛直荷重や、水平力を十分支持できる。また、この第１例〜第３例では、開口部８が床根太１０と平行配置の壁に設けられる臥梁５が支持する鉛直力、水平力は、直角配置の場合に比べ、比較的小さいので臥梁５の側面に根太１０の端部を接合しても十分な支持力を確保できる。
【００３６】
次に、図４（Ａ）、（Ｂ）、（Ｃ）は、床根太１０と直交配置の開口部８が設けられた壁面における耐力壁パネル７上の臥梁５と、前記床根太１０の第４、第５、第６の接合例を示し、いずれも臥梁５の上部に床根太１０の端部が載置され、ボルト接合されている。また、図４（Ａ）、（Ｂ）、（Ｃ）に示す臥梁５は、それぞれ図２、図３（Ａ）、（Ｂ）の臥梁５と同一構造で、耐力壁パネル７の上端部との接合構造もそれらと同じである。床根太１０の構成も図２、図３（Ａ）、（Ｂ）と同じである。
【００３７】
さらに説明すると、図４（Ａ）では、床根太１０端部の薄板軽量溝形鋼製の端根太５ｂが溝形鋼の臥梁５の上フランジ３６の上面に載置され、上フランジ３６と薄板軽量溝形鋼と押え板３３との接合部を挿通して接合ボルト３４が設けられ、ナット３５を締結することで臥梁５と床根太１０とが接合される。床根太１０の上面に貼り付けられた構造用面材６の端部上面には、上階の耐力壁パネル７の薄板軽量溝形鋼製の下枠材１が載置され、ボルト接合されている。
【００３８】
図４（Ｂ）では、床根太１０端部の薄板軽量溝形鋼製の端根太５ｂがＨ形鋼の臥梁５の上フランジ３６の上面に載置され、上フランジ３６と薄板軽量溝形鋼と押え板３３との接合部を挿通して接合ボルト３４が設けられ、ナット３５を締結することで臥梁５と床根太１０とが接合される。床根太１０の上面に貼り付けられた構造用面材６の端部上面には、上階の耐力壁パネル７の薄板軽量溝形鋼製の下枠材１が載置され、ボルト接合されている。
【００３９】
図４（Ｃ）では、床根太１０端部の薄板軽量溝形鋼製の端根太５ｂが薄板軽量溝形鋼の組合わせ材からなる臥梁５の上フランジ３６の上面に載置され、上フランジ３６と薄板軽量溝形鋼と押え板３３との接合部を挿通して接合ボルト３４が設けられ、ナット３５を締結することで臥梁５と床根太１０とが接合される。端根太５ｂの外側面には薄板軽量溝形鋼製の補強枠４１が設けられると共に、床根太１０の上面に貼り付けられた構造用面材６の端部上面には、上階の耐力壁パネル７の薄板軽量溝形鋼製の下枠材１が載置され、ボルト接合されている。
【００４０】
第４例〜第６例においても、開口部８（図８に示す）が形成された壁面において、耐力壁パネル７の上には、前記溝形鋼やＨ形鋼等の鉄骨製又は、薄板軽量溝形鋼の組合わせ材からなる剛性の高い臥梁５が設けられるので、この臥梁５に従来のまぐさ機能を兼用させても何ら問題なく、したがって、従来のスチールハウス工法における開口部のまぐさを省略しても、上階の鉛直荷重や、水平力を十分支持できる。また、この第４例〜第６例では、臥梁５の上部で床根太１０を支持するので、接合ボルト３４にせん断力が掛からず、開口部８が床根太１０と直交配置の壁に設けられる臥梁５が支持する鉛直力や水平力が大きくても十分な支持力を確保できる。
【００４１】
なお、本発明において、各部の構成及び接合材（ボルト、リベット、ドリルビス等）は臥梁に加わる荷重条件に応じて適宜設計変更して実施することができ、このような設計変更的実施は本発明に含まれる。
【００４２】
【発明の効果】
本発明により、耐力壁パネルの上部の臥梁をＨ形鋼、みぞ形鋼等の重量鉄骨または、薄板軽量形鋼による組み合わせ梁とすることで、まぐさ部材を省略することが可能となり、従来のＳＨ技術の壁パネル及び屋根、床パネル等の工場生産による効率化、現場施工の簡略化を生かしつつ、開口部の高さ及び巾等への適応範囲拡大を図ることが可能となる。
【図面の簡単な説明】
【図１】本発明の実施形態の１例に係る２階建て建物の斜視図である。
【図２】（Ａ）は、図１のＢ−Ｂ線に沿う断面図の第１例の図、（Ｂ）は、（Ａ）の横断平面図である。
【図３】（Ａ）、（Ｂ）は、図１のＢ−Ｂ線に沿う断面図の第２例と第３例の図、（Ｃ）は、図（Ｂ）の臥梁と補強材を示す図である。
【図４】（Ａ）、（Ｂ）、（Ｃ）は、図１のＢ−Ｂ線に沿う断面図の第４例と第５と第６例の図である。
【図５】本発明の実施形態の他の１例に係る２階建て建物の斜視図である。第２実施形態に係るＳＨパネルと周辺梁と大梁の接合関係を示す図である。
【図６】本発明の実施形態の更に他の１例に係る２階建て建物の斜視図である。
【図７】（Ａ）は、本発明の実施形態のさらに他の１例に係る２階建て建物の斜視図である。
【図８】（Ａ）、（Ｂ）は、耐力壁パネルの２例の斜視図である。
【図９】スチールハウスの１階部分の枠組みの斜視図である。
【図１０】（Ａ）、（Ｂ）は、窓枠の分解斜視図と組み立て後の斜視図である。
【図１１】従来例として示すスチールハウス工法による低層建物の斜視図である。
【図１２】図１１のＡ−Ａ断面図である。
【符号の説明】
１  下枠材
２  立て枠材
３  上枠材
５  臥梁
５ａ  側根太
５ｂ  端根太
６  構造用面
７  耐力壁パネル
８  開口部
８ａ  出入り口
８ｂ  窓
１０  床根太
１１  受け金物
１２  床梁
１３  構造用面材
１４  床パネル
１５  まぐさ
１６  まぐさ受け金物
１７  まぐさ枠材
１９  開口部上枠材
２０  まぐさ受け
２１  まぐさ受け金物
２２  まぐさ受け取付け枠材
２３  ドリルビス
２４  窓台
２５  開口部下枠材
２７  １階
２８  ２階
３０  ブレース
３１  ウェブ
３２  下フランジ
３３  押え板
３４  接合ボルト
３５  ナット
３６  上フランジ
３７  補強材
３８  ウェブ
３９  下フランジ
４０  補強材
４１  補強枠
【図１】
0003559543.tif 000002
【図２】
0003559543.tif 000003
【図３】
0003559543.tif 000004
【図４】
0003559543.tif 000005
【図５】
0003559543.tif 000006
【図６】
0003559543.tif 000007
【図７】
0003559543.tif 000008
【図８】
0003559543.tif 000009
【図９】
0003559543.tif 000010
【図１０】
0003559543.tif 000011
【図１１】
0003559543.tif 000012
【図１２】
0003559543.tif 000013